(57)【要約】【解決手段】水道水を濾過器４により濾過した濾過水を冷却タンク５に供給し、その冷却タンク５で冷却器２４により冷却した冷却濾過水を吐出することができる。その冷却器２４においてペルチェ素子２６の排熱側に設けた水冷却体２７には濾過器４に供給する水道水を冷媒水としても導入する。水冷却体２７に導入する冷媒水の流量を調整することができる電磁式二方開閉弁２９を設けている。水冷却体２７から排出される冷媒水の温度を検出することができる冷媒水温度センサ４８からの検出信号に基づき、その冷媒水の流量を調節することができる電磁式流量制御弁３１を設けている。【効果】設置場所に制限されにくい水冷式の冷却器２４の採用により、設置場所に関係なく冷却性能を高めることができるとともに、冷媒水を節約することができる。【選択図】図２
2008173565.tif 000002
【特許請求の範囲】
【請求項１】
供給水を濾過器により濾過した濾過水を冷却タンクに供給し、その冷却タンクで冷却器により冷却した冷却濾過水を吐出することができ、その冷却器において熱交換体の排熱側に設けた水冷却体には前記濾過器に供給する供給水を冷媒水としても導入することを特徴とする浄水装置。
【請求項２】
前記冷却器においては、水冷却体に導入する冷媒水の流量を調整することができる流量調整手段を設けたことを特徴とする請求項１に記載の浄水装置。
【請求項３】
前記冷却器においては、水冷却体から排出される冷媒水の流量を調節することができる流量制御手段を設けたことを特徴とする請求項１または請求項２に記載の浄水装置。
【請求項４】
前記冷却器においては、水冷却体から排出される冷媒水の温度を検出することができる温度検出手段からの検出信号に基づき流量制御手段を駆動制御して冷媒水の排出流量を調節する駆動制御手段を設けたことを特徴とする請求項３に記載の浄水装置。
【請求項５】
前記冷却器においては、水冷却体が送風器からの空気によっても冷却されることを特徴とすることを特徴とする請求項１から請求項４のうちいずれかの請求項に記載の浄水装置。
【請求項６】
通常モードと急冷モードと節水モードとに切り替えることができるモード切替手段からの切替信号に基づき、前記冷却器において下記の通常モード動作と急冷モード動作と節水モード動作とを行うように駆動制御する駆動制御手段を備え、
前記通常モード動作では、
冷却タンク内の冷却濾過水の温度を検出することができる温度検出手段からの検出信号に基づき設定保冷温度に対する上昇温度が所定温度以下であると判断した場合に、送風器を駆動させて水冷却体に対する空冷を行うが、水冷却体に対する冷媒水の導入と停止とを行う開閉手段を制御して水冷却体に対する水冷を中止し、
この上昇温度が所定温度を超えたと判断した場合に、送風器を駆動させて水冷却体に対する空冷を行うとともに、水冷却体に対する冷媒水の導入と停止とを行う開閉手段を制御して水冷却体に対する水冷を行い、
前記急冷モード動作では、前記設定保冷温度に対する上昇温度に関係なく、水冷却体に対する空冷と水冷とを共に行い、
前記節水モード動作では、前記設定保冷温度に対する上昇温度に関係なく、水冷却体に対する空冷を行うが、水冷却体に対する水冷を中止する
ことを特徴とする請求項５に記載の浄水装置。
【請求項７】
前記供給水を濾過器により濾過した濾過水を加熱タンクに供給し、その加熱タンクで加熱器により加熱した加熱濾過水を吐出することができることを特徴とする請求項１から請求項６のうちいずれかの請求項に記載の浄水装置。
【発明の詳細な説明】
【技術分野】
【０００１】
本発明は、水道水等を濾過した濾過水を冷却タンクで冷却器により冷却して吐出することができる浄水装置において、その冷却器の改良に関するものである。
【背景技術】
【０００２】
従来、下記特許文献１では、濾過水を空冷して吐出する冷却機能を備えた浄水器が開示されている。
【特許文献１】特開平１０−３４１３８号公報
【発明の開示】
【発明が解決しようとする課題】
【０００３】
上記特許文献１では、空冷式の冷却器であるため、十分な冷気を必要とし、冷却器の設置場所に制限があり、その設置場所によっては冷却性能が低下する問題があった。
この発明は、浄水装置において設置場所に制限されにくい水冷式の冷却器を採用するとともに設置場所に関係なく冷却性能を高めることを目的としている。
【課題を解決するための手段】
【０００４】
後記実施形態の図面（図１〜２）の符号を援用して本発明を説明する。
請求項１の発明にかかる浄水装置においては、水道水等の供給水を濾過器４により濾過した濾過水を冷却タンク５に供給し、その冷却タンク５で冷却器２４により冷却した冷却濾過水を吐出することができ、その冷却器２４においてペルチェ素子２６等の熱交換体の排熱側に設けた水冷却体２７には前記濾過器４に供給する供給水を冷媒水としても導入する。具体的には、水道用蛇口１３に接続される供給口１１と濾過器４との間の接続管１５から分岐した接続管２８を水冷却体２７に接続し、この接続管２８で供給口１１と水冷却体２７との間には水冷却体２７に対する冷媒水の導入と停止とを行う開閉手段２９を設けている。請求項１の発明では、冷媒水として水道水等の供給水を利用した水冷式の冷却器２４の採用により、その水冷式の冷却器２４の設置場所が制限されにくくなる。
【０００５】
請求項１の発明を前提とする請求項２の発明にかかる冷却器２４においては、水冷却体２７に導入する冷媒水の流量を調整することができる流量調整手段２９を設けている。例えば、その流量調整手段は、水冷却体２７に対する冷媒水の導入と停止とを行う開閉手段２９である。請求項２の発明では、水冷却体２７に導入する冷媒水の流量を調整して、冷媒水を節約することができるとともに、冷却性能を高めることができる。
【０００６】
請求項１または請求項２の発明を前提とする請求項３の発明にかかる冷却器２４においては、水冷却体２７から排出される冷媒水の流量を調節することができる流量制御手段３１を設けている。請求項３の発明では、水冷却体２７から排出される冷媒水の流量を調節して、冷媒水を節約することができるとともに、冷却性能を調節することができる。
【０００７】
請求項３の発明を前提とする請求項４の発明にかかる冷却器２４においては、水冷却体２７から排出される冷媒水の温度を検出することができる温度検出手段４８からの検出信号に基づき流量制御手段３１を駆動制御して冷媒水の排出流量を調節する駆動制御手段３６を設けている。請求項４の発明では、水冷却体２７から排出される冷媒水の温度に応じてその冷媒水の流量を制御して、冷媒水を節約することができるとともに、冷却性能を高めることができる。
【０００８】
請求項１から請求項４のうちいずれかの請求項の発明を前提とする請求項５の発明にかかる冷却器２４においては、水冷却体２７が送風器３２からの空気によっても冷却される。請求項５の発明では、水冷却体２７に対する水冷に加えて、水冷却体２７に対する空冷も行うことができる。従って、水冷と空冷とを適宜組み合わせることにより、例えば、請求項６の発明のほかに、通常モード動作と急冷モード動作または節水モード動作とを行って、冷却性能を高めることができる。
【０００９】
請求項５の発明を前提とする請求項６の発明は、通常モードと急冷モードと節水モードとに切り替えることができるモード切替手段４７からの切替信号に基づき、前記冷却器２４において下記の通常モード動作と急冷モード動作と節水モード動作とを行うように駆動制御する駆動制御手段３６を備えている。前記通常モード動作では、冷却タンク５内の冷却濾過水の温度を検出することができる温度検出手段３８からの検出信号に基づき設定保冷温度Ｔに対する上昇温度αが所定温度β以下であると判断した場合に、送風器３２を駆動させて水冷却体２７に対する空冷を行うが、水冷却体２７に対する冷媒水の導入と停止とを行う開閉手段２９を制御して水冷却体２７に対する水冷を中止し、この上昇温度αが所定温度βを超えたと判断した場合に、送風器３２を駆動させて水冷却体２７に対する空冷を行うとともに、水冷却体２７に対する冷媒水の導入と停止とを行う開閉手段２９を制御して水冷却体２７に対する水冷を行う。前記急冷モード動作では、前記設定保冷温度Ｔに対する上昇温度αに関係なく、水冷却体２７に対する空冷と水冷とを共に行う。前記節水モード動作では、前記設定保冷温度Ｔに対する上昇温度αに関係なく、水冷却体２７に対する空冷を行うが、水冷却体２７に対する水冷を中止する。請求項６の発明では、水冷却体２７に対する水冷と空冷とを目的に応じて使い分けた複数の冷却パターンにより、冷媒水を節約することができるとともに、冷却性能を高めることができる。
【００１０】
請求項１から請求項６のうちいずれかの請求項の発明を前提とする請求項７の発明においては、前記供給水を濾過器４により濾過した濾過水を加熱タンク６に供給し、その加熱タンク６で加熱器３５により加熱した加熱濾過水を吐出することができる。請求項７の発明では、水道水等を濾過した濾過水を冷却タンクで冷却して吐出することができるとともに加熱して吐出することができる。
【００１１】
次に、請求項以外の技術的思想について実施形態の図面の符号を援用して説明する。
請求項５または請求項６の発明を前提とする第７の発明において、前記水冷却体２７は送風器３２からの空気により冷却されるヒートシンク３３に対しヒートパイプ３４により接続されている。第７の発明では、ヒートパイプ３４の採用により、送風器３２及びヒートシンク３３等の空冷部品の設置位置及び設置面積を自由に選択し易くなり、冷却性能を高めることができる。
【発明の効果】
【００１２】
本発明は、水道水等を濾過した濾過水を冷却して吐出することができる浄水装置において、設置場所に制限されにくい水冷式の冷却器２４の採用により、設置場所に関係なく冷却性能を高めることができるとともに、冷媒水を節約することができる。
【発明を実施するための最良の形態】
【００１３】
以下、本発明の一実施形態にかかる浄水装置について図面を参照して説明する。
図１（ａ）（ｂ）（ｃ）に示す浄水装置のケース１はフロントケース２とそのフロントケース２の後側を覆うバックケース３とを備えている。このケース１内において、中央部には図２に示す濾過器４が配設され、その濾過器４の右側には図２に示す冷却タンク５が配設されているとともに、その濾過器４の左側には図２に示す加熱タンク６が配設されている。このフロントケース２の中央部には濾過器４を覆うカバー２ａが設けられている。このフロントケース２の上部右側には冷却タンク５の出口５ｂに対し冷水吐出管７により接続された冷水吐出口８が設けられ、このフロントケース２の上部左側には加熱タンク６の出口６ｂに対し温水吐出管９により接続された温水吐出口１０が設けられている。このバックケース３の下部右側には供給口１１が設けられ、このバックケース３の下部左側には排水口１２が設けられている。次に、この濾過器４と冷却タンク５と加熱タンク６と冷水吐出口８と温水吐出口１０と供給口１１と排水口１２との間の配管回路、並びに、この配管回路を駆動制御する電気回路を図２を中心に詳述する。
【００１４】
前記供給口１１は、水道用蛇口１３に対し供給管１４により接続されているとともに、前記濾過器４の入口４ａに対し接続管１５により電磁式二方開閉弁１６を介して接続されている。この濾過器４の出口４ｂは、冷却タンク５の入口５ａに対し接続管１７により電磁式三方開閉弁１８を介して接続されているとともに、加熱タンク６の入口６ａに対し接続管１９によりこの電磁式三方開閉弁１８を介して接続されている。この冷却タンク５の出口５ｂと前記冷水吐出口８との間の冷水吐出管７にはポンプ２０及び電磁式二方開閉弁２１が接続されている。この加熱タンク６の出口６ｂと前記温水吐出口１０との間の温水吐出管９にはポンプ２２及び電磁式二方開閉弁２３が接続されている。
【００１５】
前記冷却タンク５に隣接して設けられた冷却器２４においては、この冷却タンク５内に設けられたヒートシンク２５が熱交換体としてのペルチェ素子２６の吸熱側に設けられているとともに、このペルチェ素子２６の排熱側に水冷却体２７が設けられ、この水冷却体２７内には図示しない冷却用迂回管が入口２７ａと出口２７ｂとの間で設けられている。また、この冷却器２４においては、水冷却体２７の入口２７ａが前記供給口１１と電磁式二方開閉弁１６との間の接続管１５に対し接続管２８により流量調整手段である開閉手段としての電磁式二方開閉弁２９を介して接続され、水冷却体２７の出口２７ｂが前記排水口１２に対し接続管３０により流量制御手段としての電磁式流量制御弁３１を介して接続されている。さらに、この冷却器２４においては、送風器３２により冷却されるヒートシンク３３が水冷却体２７に対し複数のヒートパイプ３４を介して接続されている。一方、前記加熱タンク６に隣接してヒータ式加熱器３５が設けられている。
【００１６】
前記電磁式二方開閉弁１６と電磁式三方開閉弁１８とポンプ２０と電磁式二方開閉弁２１とポンプ２２と電磁式二方開閉弁２３とペルチェ素子２６と電磁式二方開閉弁２９と電磁式流量制御弁３１と送風器３２とヒータ式加熱器３５とは、それぞれ、制御ユニット３６に接続されている。前記冷却タンク５内には冷水位センサ３７と温度検出手段としての冷水温度センサ３８とが取り付けられ、前記加熱タンク６内には温水位センサ３９と温度検出手段としての温水温度センサ４０とが取り付けられ、それらが制御ユニット３６に接続されている。前記フロントケース２の上部右側には冷却表示灯４１と冷却器電源スイッチ４２と冷水スイッチ４３とが取り付けられ、前記フロントケース２の上部左側には加熱表示灯４４と加熱器電源スイッチ４５と温水スイッチ４６とが取り付けられ、それらが制御ユニット３６に接続されている。前記フロントケース２の下部中央にはモード切替手段としてのモード切替スイッチ４７が取り付けられて制御ユニット３６に接続されている。前記水冷却体２７の出口２７ｂと電磁式流量制御弁３１との間の接続管３０には温度検出手段としての冷媒水温度センサ４８が取り付けられて制御ユニット３６に接続されている。
【００１７】
前記冷却器電源スイッチ４２を操作すると、その操作信号に基づき制御ユニット３６は冷却器２４の電源をオンオフする。前記加熱器電源スイッチ４５を操作すると、その操作信号に基づき制御ユニット３６はヒータ式加熱器３５の電源をオンオフする。
【００１８】
前記冷水位センサ３７からの操作信号に基づき制御ユニット３６は電磁式二方開閉弁１６及び電磁式三方開閉弁１８を駆動制御する。前記温水位センサ３９からの操作信号に基づき制御ユニット３６は電磁式二方開閉弁１６及び電磁式三方開閉弁１８を駆動制御する。冷却タンク５内の冷水位または加熱タンク６内の温水位が設定高さ範囲以下になった場合、前記水道用蛇口１３から供給口１１に導入された供給水としての水道水は電磁式二方開閉弁１６を通って濾過器４に供給され、その濾過器４で濾過された濾過水は電磁式三方開閉弁１８を通って冷却タンク５または加熱タンク６に供給される。冷却タンク５内の冷水位または加熱タンク６内の温水位が設定高さ範囲以上になった場合、濾過器４への水道水の供給と冷却タンク５または加熱タンク６への濾過水の供給は停止される。
【００１９】
前記モード切替スイッチ４７を切替操作すると、その切替信号に基づき制御ユニット３６は通常モードと急冷モードと節水モードとに切り替え、冷却器２４が下記の通常モード動作と急冷モード動作と節水モード動作とを行う。
【００２０】
前記通常モード動作では、冷却タンク５内の冷却濾過水の温度を検出することができる冷水温度センサ３８からの検出信号に基づき、設定保冷温度Ｔに対する上昇温度αを演算し、その上昇温度αが所定温度β以下であると判断した場合、送風器３２を駆動させて水冷却体２７に対する空冷を行うが、水冷却体２７に対する冷媒水（前記水道用蛇口１３から供給口１１に導入された供給水としての水道水）の導入と停止とを行う電磁式二方開閉弁２９を制御して水冷却体２７に対する水冷を中止する。また、この上昇温度αが所定温度βを超えたと判断した場合、送風器３２を駆動させて水冷却体２７に対する空冷を行うとともに、前記電磁式二方開閉弁２９を制御して水冷却体２７に対する水冷を行う。前記急冷モード動作では、前記設定保冷温度Ｔに対する上昇温度αに関係なく、水冷却体２７に対する空冷と水冷とを共に行う。前記節水モード動作では、前記設定保冷温度Ｔに対する上昇温度αに関係なく、水冷却体２７に対する空冷を行うが、水冷却体２７に対する水冷を中止する。前記冷却表示灯４１は、冷却器２４の冷却運転中に赤色となり、その冷却濾過水が設定保冷温度に保たれている場合に緑色となる。
【００２１】
前記水冷却体２７から排出される冷媒水の温度を検出することができる冷媒水温度センサ４８からの検出信号に基づき、制御ユニット３６は電磁式流量制御弁３１を駆動制御し、水冷却体２７から排出される冷媒水の流量を調節する。
【００２２】
一方、制御ユニット３６は、加熱タンク６内の加熱濾過水の温度を検出することができる温水温度センサ４０からの検出信号に基づき、ヒータ式加熱器３５を駆動制御し、その加熱濾過水を設定加熱温度に保つ。前記加熱表示灯４４は、ヒータ式加熱器３５の加熱運転中に赤色となり、その加熱濾過水が設定加熱温度に保たれている場合に緑色となる。
【００２３】
前記冷水スイッチ４３を操作すると、その操作信号に基づき制御ユニット３６はポンプ２０及び電磁式二方開閉弁２１を駆動制御して冷却タンク５内の冷却濾過水が冷水吐出口８から吐出する。前記温水スイッチ４６を操作すると、その操作信号に基づき制御ユニット３６はポンプ２２及び電磁式二方開閉弁２３を駆動制御して加熱タンク６内の加熱濾過水が温水吐出口１０から吐出する。
【００２４】
本実施形態は下記の効果を有する。
＊  水冷式の冷却器２４を採用したので、その水冷式の冷却器２４の設置場所が制限されにくくなり、設置場所に関係なく冷却性能を高めることができる。
【００２５】
＊  その水冷式の冷却器２４の冷媒水として濾過器４に供給する水道水を利用したので、冷媒水の供給構造を簡単にすることができる。
＊  電磁式二方開閉弁２９により水冷却体２７に導入する冷媒水の流量を調整したり、水冷却体２７から排出される冷媒水の温度に応じて電磁式流量制御弁３１によりその冷媒水の流量を調節したり、水冷却体２７に対する水冷と空冷とを目的に応じて複数の冷却パターンにより使い分けたりして、冷媒水を節約することができるとともに、冷却性能を高めることができる。
【００２６】
前記実施形態以外にも下記のように構成してもよい。
・  前記電磁式二方開閉弁２９に代えて、手動式二方開閉弁や流量調整弁に変更する。
・  前記電磁式三方開閉弁１８に代えて、手動式三方開閉弁に変更する。
【００２７】
・  前記電磁式二方開閉弁１６に代えて、手動式二方開閉弁に変更する。
・  前記ポンプ２０及び電磁式二方開閉弁２１やポンプ２２及び電磁式二方開閉弁２３に代えて、手動式二方開閉弁に変更する。
【００２８】
・  電磁式二方開閉弁２９を省略して電磁式流量制御弁３１のみとする。
・  送風器３２等の空冷機能を省略してペルチェ素子２６等の水冷機能のみとする。
・  加熱タンク６及びヒータ式加熱器３５等の加熱機能を省略する。
【図面の簡単な説明】
【００２９】
【図１】（ａ）は本実施形態にかかる浄水装置の外観を示す正面図であり、（ｂ）は同じく平面図であり、（ｃ）は同じく背面図である。
【図２】その浄水装置内の各部品間の回路図である。
【符号の説明】
【００３０】
４…濾過器、５…冷却タンク、６…加熱タンク、２４…冷却器、２６…熱交換体としてのペルチェ素子、２７…水冷却体、２９…流量調整手段である開閉手段としての電磁式二方開閉弁、３１…流量制御手段としての電磁式流量制御弁、３２…送風器、３５…ヒータ式加熱器、３６…駆動制御手段としての制御ユニット、３８…温度検出手段としての冷水温度センサ、４７…モード切替手段としてのモード切替スイッチ、４８…温度検出手段としての冷媒水温度センサ。
【図１】
2008173565.tif 000003
【図２】
2008173565.tif 000004
【手続補正書】
【提出日】平成19年1月19日(2007.1.19)
【手続補正１】
【補正対象書類名】明細書
【補正対象項目名】００１１
【補正方法】変更
【補正の内容】
【００１１】
次に、請求項以外の技術的思想について実施形態の図面の符号を援用して説明する。    請求項５または請求項６の発明を前提とする第８の発明において、前記水冷却体２７は送風器３２からの空気により冷却されるヒートシンク３３に対しヒートパイプ３４により接続されている。第８の発明では、ヒートパイプ３４の採用により、送風器３２及びヒートシンク３３等の空冷部品の設置位置及び設置面積を自由に選択し易くなり、冷却性能を高めることができる。